(57)【特許請求の範囲】
【請求項１】
上部に開口部を有する内ケースを備えた本体と、
前記内ケースの前記開口部の周縁部に載置されるフランジを有し該内ケースに出し入れ自在に収納される内釜と、
前記内釜の前記フランジの下面に当接するように前記内ケースの前記開口部の前記周縁部に配置された熱絶縁性を有するリング状の弾性部材と、
前記弾性部材を保持する保持リングとを備え、
前記弾性部材は、前記内釜の前記フランジの下面に当接するリング状の基部と、該リング状の基部から全周に亘って外向きに張り出す張出部とを備え、該張出部が前記保持リングと前記内ケースとの間に全周に亘って挟まれて固定され、
前記内ケースは、前記開口部の前記周縁部における前記弾性部材よりも外側となる部位に環状の段部を有し、
前記保持リングは、前記弾性部材の前記張出部を押さえる内リング部と、それよりも大径で下部に前記内ケースの前記環状の段部内に嵌入できる嵌入部を有する外リング部と、これら内リング部と外リング部とを結ぶ連結部とを有し、前記嵌入部の肉厚が当該保持リングの他の部分よりも薄くなっている炊飯器。
【請求項２】
前記内ケースにおける前記弾性部材の前記張出部と対向する部位に、弾性部材位置決め用の環状の突条が設けられているとともに、
前記弾性部材の前記張出部における前記内ケースの前記環状の突条と対向する部位に、該突条が嵌入できる環状の溝が設けられており、
前記弾性部材は、前記環状の溝の底部が前記保持リングと前記環状の突条との間に挟まれて固定されている請求項１記載の炊飯器。
【請求項３】
前記内ケースの前記開口部の内周壁よりも前記弾性部材が外側に配置されている請求項１又は２記載の炊飯器。
【請求項４】
前記本体の前記内ケースの前記開口部を開閉する蓋体と、前記蓋体と係脱自在に前記本体に設けられたラッチと、前記ラッチを覆うラッチカバーとを更に備え、前記ラッチカバーと前記保持リングとが一体に構成されている請求項１〜３のいずれか一項に記載の炊飯器。
【請求項５】
前記弾性部材の色と前記保持リングの色とを異ならせた請求項１〜４のいずれか一項に記載の炊飯器。
【請求項６】
前記保持リングの連結部が外側に向かって下方に傾斜する斜面で形成されている請求項１〜５のいずれか一項に記載の炊飯器。
【発明の詳細な説明】
【技術分野】
【０００１】
本発明は、内釜とこれを収容する本体の内ケースとの間の隙間から熱が外部へ放出されるのを阻止できる炊飯器に関する。
【背景技術】
【０００２】
従来の炊飯器において、内釜とこれを収容する本体の内ケースとの間の隙間から炊飯時及び保温時に熱が外部へ放出されるのを抑制して、省エネルギー化を図るようにしたものがある。例えば、本体の内ケースの開口部の周縁部における左右２個所に、それぞれ２列の円弧状突起によって溝を形成し、これら溝内には、それぞれ熱絶縁性を有する弾性部材を堤状に配置している。そして、弾性部材は、その上部を円弧状突起よりも上方に突出させて内釜のフランジ下面に当接できるようにしている。これによって、内釜と内ケースとの間の隙間から外部への放熱を抑制している。
このようなものにおいて、弾性部材の固定は、この弾性部材の複数個所に設けたアンカー部を、溝の底部の複数個所に形成した取り付け孔に差し込むことで行っていた（例えば、特許文献１参照）。
【先行技術文献】
【特許文献】
【０００３】
【特許文献１】特許第４８２２９１５号公報（図５〜図7）
【発明の概要】
【発明が解決しようとする課題】
【０００４】
このように、従来は、熱絶縁性を有する弾性部材が、この弾性部材の複数個所に設けたアンカー部を、溝の底部の複数個所に形成した取り付け孔に差し込むことで、内ケースに固定されるようになっている。つまり、弾性部材は、全長に亘って固定されるものではなかった。そのため、弾性部材は、外れやすく、さらにアンカー部以外の部位が浮き上がりやすいという難点があった。【０００５】
また、溝と弾性部材とは、内ケースの開口部の周縁部における左右２個所に設置されている。つまり、溝と弾性部材は、内ケースの開口部の周縁部の全周に亘って設置されたものではなかった。そのため、内釜と内ケースとの間の隙間から弾性部材が設置されていない部位を通して熱が外部へ放出されるのを阻止できなかった。【０００６】
本発明は、前記のような課題を解決するためになされたもので、弾性部材の浮き上がりを防止でき、かつ内釜と内ケースとの間の隙間から外部への放熱を阻止できるようにすることを目的とする。
【課題を解決するための手段】
【０００７】
本発明に係る炊飯器は、上部に開口部を有する内ケースを備えた本体と、内ケースの開口部の周縁部に載置されるフランジを有し内ケースに出し入れ自在に収納される内釜と、内釜のフランジの下面に当接するように内ケースの開口部の周縁部に配置された熱絶縁性を有するリング状の弾性部材と、弾性部材を保持する保持リングとを備え、弾性部材は、内釜のフランジの下面に当接するリング状の基部と、このリング状の基部から全周に亘って外向きに張り出す張出部とを備え、張出部が保持リングと内ケースとの間に全周に亘って挟まれて固定され、内ケースは、開口部の周縁部における弾性部材よりも外側となる部位に環状の段部を有し、保持リングは、弾性部材の張出部を押さえる内リング部と、それよりも大径で下部に内ケースの環状の段部内に嵌入できる嵌入部を有する外リング部と、これら内リング部と外リング部とを結ぶ連結部とを有し、嵌入部の肉厚が保持リングの他の部分よりも薄くなっているものである。
【発明の効果】
【０００８】
本発明の炊飯器によれば、内ケースの開口部の周縁部に、内釜のフランジの下面に当接するリング状の弾性部材を設けているので、炊飯時及び保温時に内釜と内ケースとの間の隙間から外部への放熱を阻止できる。このため、炊飯器が炊飯時及び保温時に消費するエネルギーを減少させることができる。
また、弾性部材は、内釜のフランジの下面に当接するリング状の基部と、このリング状の基部から全周に亘って外向きに張り出す張出部とを備え、張出部が保持リングと内ケースとの間に全周に亘って挟まれて固定されるので、弾性部材の浮き上がりを防止できる。
また、内ケースは、開口部の周縁部における弾性部材よりも外側となる部位に環状の段部を有し、保持リングは、弾性部材の張出部を押さえる内リング部と、それよりも大径で下部に内ケースの環状の段部内に嵌入できる嵌入部を有する外リング部と、これら内リング部と外リング部とを結ぶ連結部とを有し、嵌入部の肉厚が保持リングの他の部分よりも薄くなっているので、内ケ−スの上面側から見た時に、環状の段部と嵌入部との間に組立て易くするために設けられている隙間を、保持リングによって覆い隠し見え難くすることができる。
【図面の簡単な説明】
【０００９】
【図１】本発明の実施形態に係る炊飯器の全体構成を示す側面視の断面図である。
【図２】図１のＡ部の拡大断面図である。
【図３】本発明の実施形態に係る炊飯器の全体構成を示す正面視の断面図である。
【図４】図３のＢ部の拡大断面図である。
【図５】本発明の実施形態に係る炊飯器を内釜を収納して蓋体を開けた状態で示す斜視図である。
【図６】本発明の実施形態に係る炊飯器を内釜を取り出して蓋体を開けた状態で示す斜視図である。
【発明を実施するための形態】
【００１０】
以下、本発明の実施形態に係る炊飯器を説明する。なお、以下に示す図面の形態によって本発明が限定されるものではない。
なお、以下の説明において、理解を容易にするために位置を表す用語（例えば「上」、「下」、「前」、「後」など）を適宜用いるが、これは説明のためのものであって、これらの用語は本願発明を限定するものではない。
【００１１】
実施形態．
図１は本発明の実施形態に係る炊飯器の全体構成を示す側面視の断面図である。図２は図１のＡ部の拡大断面図である。図３は本発明の実施形態に係る炊飯器の全体構成を示す正面視の断面図である。図４は図３のＢ部の拡大断面図である。
実施形態に係る炊飯器１００は、図１及び図３に示すように、本体１と、本体１にヒンジ２で結合されてラッチ３と解除ボタン４とによって開閉される蓋体５とを備えている。また、炊飯器１００は、本体１内に、上部に開口部６ａを有し、底部にコイル台が固定されている樹脂製の内ケース６を備えており、内ケース６には、内釜７が出し入れ自在に収容される。コイル台の底部外周には、内釜７を電磁誘導加熱する加熱コイル８が配置されている。また、コイル台には、その底部中央に、貫通穴が形成され、この貫通穴に、内釜７の下面に接触して内釜７の温度を検出する温度センサー９が出没自在に設置されている。加熱コイル８は、電源基板１１に実装された駆動部によって高周波電力が供給され内釜７を電磁誘導加熱する。すなわち、駆動部は、商用交流電源からの交流電圧を、図示しない整流部で一旦直流に変換し、その後、スイッチング素子のスイッチングによって高周波に変換し、この高周波電流を加熱コイル８に供給する。
【００１２】
内釜７は、その上端にフランジ７ａが形成され、このフランジ７ａが内ケース６への収納時に、内ケース６の開口部６ａの周縁部に載置されて支持されるようになっている。また、内釜７は、内ケース６の開口部６ａの周縁部に載置される際、この開口部６ａの周縁部に配置された熱絶縁性を有するシリコンゴム製のリング状の弾性部材２０がフランジ７ａの下面に当接し、内ケース６の内周面と内釜７の外周面との間の隙間ｇが閉塞されるようになっている。つまり、炊飯時及び保温時には、隙間ｇが蓄熱空間として構成される。さらに、内釜７は、蓋体５の閉時に、蓋体５側に設けたパッキン１２がフランジ７ａの上面に押圧されることによって密閉される。
【００１３】
弾性部材２０は、図２及び図４に示すように、内ケース６の開口部６ａの内周壁６ｂよりも外側に配置されている。弾性部材２０は、内釜７のフランジ７ａの下面に当接するリング状の基部２０ａと、リング状の基部２０ａから全周に亘って外向きに張り出す張出部２０ｂとを有する。弾性部材２０の外側には、これを保持する保持リング２１が配置されており、弾性部材２０は、張出部２０ｂが保持リング２１と内ケース６との間に全周に亘って挟まれて固定される。
【００１４】
これを更に詳述すると、内ケース６における弾性部材２０の張出部２０ｂと対向する部位には、弾性部材位置決め用の環状の突条６ｃが設けられている。一方、弾性部材２０における内ケース６の環状の突条６ｃと対向する張出部２０ｂには、環状の突条６ｃが嵌入できる環状の溝２０ｃが設けられている。つまり、弾性部材２０は、環状の溝２０ｃの底部が保持リング２１と環状の突条６ｃとの間に挟まれて固定される。
【００１５】
内ケース６は、開口部６ａの周縁部における弾性部材２０よりも外側となる部位に環状の段部６ｄを有している。
【００１６】
保持リング２１は、弾性部材２０の張出部２０ｂを押さえる内リング部２１ａと、それよりも大径で下部に内ケース６の環状の段部６ｄ内に圧入できる嵌入部２１ｄを有する外リング部２１ｂと、これら内リング部２１ａと外リング部２１ｂとを結ぶ連結部２１ｃ，２１ｅとを有する。また、保持リング２１は、嵌入部２１ｄの肉厚が当該保持リング２１の他の部分よりも薄くなっていて、内ケ−スの上面側から見た時に、環状の段部６ｄと嵌入部２１ｄとの間に組立て易くするために設けられている隙間が、保持リング２１によって覆い隠され見え難くなっている。
【００１７】
また、保持リング２１は、奥側に位置する連結部２１ｅ（図２）以外の連結部２１ｃ（図４）が、外側に向かって下方に傾斜する斜面に形成され、これによって内釜７のフランジ７ａの下方に指を挿入できる空間が形成されるので、内釜７の出し入れが容易となっている。
【００１８】
図５は本発明の実施形態に係る炊飯器を内釜を収納して蓋体を開けた状態で示す斜視図である。図６は、本発明の実施形態に係る炊飯器を内釜を取り出して蓋体を開けた状態で示す斜視図である。
図５及び図６に示すように、本体１の内ケース６の開口部６ａを開閉する蓋体５と、蓋体５と係脱自在に本体１にラッチ３が設けられており、保持リング２１には、ラッチ３の係合部を覆うラッチカバー２１ｆが一体に設けられている。ラッチカバー２１ｆは、これまでは内ケース６側に設けられ、又は別体で構成されていた。そのため、金型構造が複雑となったり、部品点数が増える要因となっていた。ラッチカバー２１ｆを保持リング２１に一体に設けることで、部品点数を増やさず、かつ金型構造の簡素化を図ることができる。なお、保持リング２１は、図５及び図６のように手前側の左右２個所と奥側の左右２個所で、それぞれねじ３０によって内ケース６に固定されるようになっている。
【００１９】
また、本発明の実施形態に係る炊飯器１００においては、シリコンゴム製の弾性部材２０の色と樹脂製の保持リング２１の色とを異ならせており、これによって組立時に弾性部材２０の付け忘れを防止できるようにしている。
【００２０】
次に、本発明の実施形態に係る炊飯器１００の動作を図１〜図６に基づき説明する。
【００２１】
使用者によって操作部からの設定に基づく炊飯指示等の加熱開始の指示がなされると、制御部は、駆動部の制御を開始する。駆動部は、商用交流電源からの交流電圧を、整流部で一旦直流に変換し、その後、スイッチング素子のスイッチングによって高周波に変換し、この高周波電流が加熱コイル８に供給される。加熱コイル８に高周波電流が流れると、加熱コイル８からは交番磁界が発生し、内釜７に磁束が与えられる。これによって内釜７には渦電流が発生し、この渦電流と内釜７の電気抵抗によってジュール熱が発生し、内釜７が加熱され、炊飯が行われる。
【００２２】
炊飯動作中は、弾性部材２０で覆われている内釜７の内側と、内釜７の外側、つまり内ケース６の内周面と内釜７の外周面との間の隙間ｇも相当の高温となる。従来は、弾性部材が内ケース６の開口部６ａの周縁部における左右２個所に分かれて配置されていたので、隙間ｇから弾性部材が設置されていない部位を通して熱が外部へ放出されるのを阻止できなかった。このため、隙間ｇ内の熱を有効利用することができず、外部に放散されており、炊飯効率やその後の保温性能があまり高くはなかった。
【００２３】
本発明の実施形態に係る炊飯器１００は、内ケース６の開口部６ａの周縁部に、内釜７のフランジ７ａの下面に当接するリング状の弾性部材２０を設けているので、炊飯時及び保温時に内釜７と内ケース６との間の隙間ｇから外部への放熱を阻止できる。このため、炊飯器１００が炊飯時及び保温時に消費するエネルギーを減少させることができる。
【００２４】
また、弾性部材２０は、内釜７のフランジ７ａの下面に当接するリング状の基部２０ａと、リング状の基部２０ａから全周に亘って外向きに張り出す張出部２０ｂとを備え、張出部２０ｂが保持リング２１と内ケース６との間に挟まれて固定されるので、弾性部材２０の浮き上がりを防止できる。
【００２５】
また、内ケース６における弾性部材２０の張出部２０ｂと対向する部位には、弾性部材位置決め用の環状の突条６ｃを設け、弾性部材２０における内ケース６の環状の突条６ｃと対向する張出部２０ｂには、環状の突条６ｃが嵌入できる環状の溝２０ｃを設けているので、製造時の組立作業が容易となる。
【００２６】
また、弾性部材２０は、環状の溝２０ｃの底部が保持リング２１と環状の突条６ｃとの間に挟まれて固定されるので、保持リング２１は、小さな押付力（保持力）で弾性部材２０を保持することができる。
【００２７】
また、樹脂製の内ケース６の開口部６ａの内周壁６ｂよりも摩擦力の高いシリコンゴム製の弾性部材２０が外側に配置され、内釜７の出し入れ時に内釜周面が接触する部分には樹脂製の内周壁６ｂが配置されるので、内釜７の出し入れが容易となる。
【００２８】
また、弾性部材２０としてシリコンゴムを用いることで、耐久性、耐熱性の確保が容易となり、長寿命化が図れる。
【符号の説明】
【００２９】
１  本体、２  ヒンジ、３  ラッチ、４  解除ボタン、５  蓋体、６  内ケース、６ａ  開口部、６ｂ  内周壁、６ｃ  環状の突条、６ｄ  環状の段部、７  内釜、７ａ  フランジ、８  加熱コイル、９  温度センサー、１１  電源基板、１２  パッキン、２０  弾性部材、２０ａ  リング状の基部、２０ｂ  張出部、２０ｃ  環状の溝、２１  保持リング、２１ａ  内リング部、２１ｂ  外リング部、２１ｃ，２１ｅ  連結部、２１ｄ  嵌入部、２１ｆ  ラッチカバー、３０  ねじ、１００  炊飯器、ｇ  隙間。
【図１】
0005955462.tif 000002
【図２】
0005955462.tif 000003
【図３】
0005955462.tif 000004
【図４】
0005955462.tif 000005
【図５】
0005955462.tif 000006
【図６】
0005955462.tif 000007